(57)【要約】【課題】  特に記録デューティが高く、かつ記録シートの端部近傍まで記録した時のミストによって周辺が汚れるのを防止する。【解決手段】  ヘッドが記録シートの中心部から端部方向へ移動する際の記録デューディを減らし、次に反対方向へ移動して記録を行う際に、減らしたデータを補間するように記録する。【選択図】  図１
2006334810.tif 000002
【特許請求の範囲】
【請求項１】
インクを吐出して記録を行う記録ヘッドと、該記録ヘッドを被記録媒体の記録シートに対して相対的に移動させる移動手段とを有し、該記録ヘッドを該記録シートに対して相対的に移動させると共に、該記録ヘッドよりインクを吐出して記録を行うインクジェット記録装置において、前記移動手段による相対移動に同期させ、記録データに基づいて前記記録ヘッドを駆動して記録を行う記録手段と、前記記録手段へ送信する記録データを制御する制御手段とを有し、前記記録ヘッドの記録する際の移動方向に応じて前記制御手段を制御することを特徴とするインクジェット記録装置。
【請求項２】
前記制御手段は、前記記録ヘッドが前記記録シートの中心部から端部方向へ移動する際に記録を行う記録データを制御することを特徴とする請求項１に記載のインクジェット記録装置。
【請求項３】
前記制御手段は、前記記録ヘッドが前記記録シートの中心部から端部方向へ移動する際に記録を行う記録データを制御すると共に、前記記録ヘッドが前記記録シートの端部から中心部方向へ移動する際に記録を行う記録データを制御することを特徴とする請求項１に記載のインクジェット記録装置。
【請求項４】
前記制御手段は、前記記録ヘッドが前記記録シートの一端部から中心部へ、中心部からもう一方の端部へ移動する際に、前記記録ヘッドが記録を行う記録データを徐々に減少させるように制御することを特徴とする請求項１から請求項３のいずれかに記載のインクジェット記録装置。
【請求項５】
前記制御手段は、前記記録ヘッドが前記記録シートの一端部から中心部へ、中心部からもう一方の端部へ移動する際に、前記記録ヘッドが記録を行う記録データを徐々に減少させ、次に前記記録ヘッドが前記移動方向と反対の方向へ移動して記録する際に、前記減らした記録データを補完するように制御することを特徴とする請求項１から請求項３のいずれかに記載のインクジェット記録装置。
【請求項６】
インクを吐出して記録を行う記録ヘッドと、該記録ヘッドを被記録媒体の記録シートに対して相対的に移動させる移動手段とを有し、該記録ヘッドを該記録シートに対して相対的に移動させると共に、該移動手段による相対移動に同期して前記記録ヘッドを駆動して記録を行う記録手段と、前記記録手段へ送信する記録データを制御する制御手段を有するインクジェット記録装置において、前記制御手段は、前記記録ヘッドが前記記録シートの端部から中心部へ移動する際には記録を行うように制御し、中心部から端部へ移動する際には記録を行わないように制御することを特徴とするインクジェット記録装置。
【請求項７】
前記制御手段は、記録する際の記録ヘッドの移動方向が異なる記録データの境界部近傍は一度に記録するデータ量を減らし、次に記録するデータで補完するように制御することを特徴とする請求項６記載のインクジェット記録装置。
【発明の詳細な説明】
【技術分野】
【０００１】
本発明は、パーソナルコンピュータやワードプロセッサ、あるいは電子タイプライター、ファクシミリ装置等の入力情報を記録シートに記録するためのインクジェット記録装置に関するものである。
【背景技術】
【０００２】
インクジェット記録方式は、低騒音、低ランニングコスト、装置の小型化が容易であることや、カラー化が容易である等、種々の利点を有している。また近年パソコンの性能の著しい向上と記録装置の高画質化によって、写真画像の記録が行われる機会も増えてきている。インクジェット記録装置で記録を行う場合、デジタルデータを用いて、ドットを打ち込むことによって画像を形成する。
【０００３】
写真画像のような高画質が要求されるものは、そのドットが人間の視覚に捕らえられないように小さいドットで記録する必要がある。
【０００４】
インクジェット記録方式はインク滴を記録ヘッドから記録シートへ向けて吐出することによって記録を行うものであるので、小さなドットで記録しようとすると画像を形成するためには多くのドットを吐出する必要がある。
【０００５】
しかし、記録ヘッドからインク滴を記録シートに吐出させて記録を行う際、インク吐出に伴って、その主インク滴以外に発生する微細なインク滴（ミスト）や吐出インク滴の記録シートからの跳ね返った微細なインク滴（ミスト）が機内を浮遊し、機内を汚すことがあり、特に小さいインク滴を多く吐出する場合には顕著となる。
【０００６】
図２（ａ）および（ｂ）は前述の微細なインク滴（ミスト）が発生する様子を示した図である。
【０００７】
図２（ａ）において、１００は記録ヘッド、１０１が記録シートであり、１０２が記録シート上に吐出されて画像を形成しているインク層である。１０３は記録ヘッド１００から吐出された画像を形成するための主インク滴であり、１０４は主インク滴１０３の後方に発生した微細なインク滴（ミスト）であり、記録ヘッドを記録シートに対して移動させるためのキャリッジの動きによって、飛散しようとしているところを示している。
【０００８】
また図２（ｂ）において、前記記録ヘッド１００から吐出された主インク滴１０５が記録シート１０１に到達し、画像を形成するインク層１０２ができあがっている。ここで主インク滴１０５が記録シート１０１に到達したときに、インクの跳ね返りが起こり微細なインク滴（ミスト）１０６となって飛散しようとしている。
【０００９】
このような微細なインク滴（ミスト）を低減するためにこれまで様々な提案がなされている。
【００１０】
例えば特許第２８６２５２９号では、ミストと記録デューティとの間に相関のあることから、所定領域におけるデューティが所定値より大きい場合には、所定領域の記録を複数回に分割して行うことが開示されている。これは一度に記録するドットの数が少なければミストの飛散が少ないということである。
【００１１】
また特開２０００−１２７３５５でも同様に、所定領域におけるデューティが所定値より大きい場合に、所定領域の記録を複数回に分割して行うとともに、複数種類のインク色に対応して異なる分割方法とするものもある。
【００１２】
しかしこれらは複数回に分割して記録を行うために、記録時間（スループット）が長くなるという欠点があった。
【００１３】
次に図３は一般的に記録ヘッドで記録シート上に記録する場合の、画像が形成されていく様子を示しており、キャリッジの移動方向をＸａ、Ｘｂ、記録シートの搬送方向をＹａとし、キャリッジがＸａ方向に移動しながら記録ヘッドを駆動することにより最初の行の記録が行え、その次に記録シートをＹａ方向に１行分だけ改行する。そして次に２行目をキャリッジをＸｂ方向へ移動させながら記録を行う。この動作を繰り返し行うことにより、記録シート１枚分の記録を行うことができる。
【００１４】
つまり、記録シートに画像を形成する場合、記録ヘッドを搭載したキャリッジが往復運動する間に記録ヘッドを駆動して記録を実行する。
【００１５】
このようにキャリッジが往復運動しながら記録を行う場合、前述の微細なインク滴（ミスト）の飛散する状態が往路と復路で異なる。
【００１６】
図４は記録ヘッドで記録シートに記録を行っている様子を示しており、微細なインク滴（ミスト）の飛散状態を表している。
【００１７】
図４において、１１０はプラテンであり、１１０ａはプラテン上に形成されたプラテンリブである。記録シート１０１は該プラテンリブ１１０ａによって支持されており、記録ヘッド１００がＸａ方向へ移動しながら記録している。
【００１８】
まず図４（ａ）において、記録ヘッド１００は記録シート１０１の端部近傍に位置しており、記録を開始した直後の様子を示している。
【００１９】
ここでは記録を開始した直後なのでミストはほとんど浮遊していない。
【００２０】
次に図４（ｂ）は、記録ヘッド１００が記録シート１０１の略中央部に位置しており、図４（ａ）から（ｂ）まで記録した際に発生したミストが飛散している様子を示している。
【００２１】
記録ヘッドはキャリッジによってＸａ方向へ移動しているため、ミストは記録ヘッドの進行方向（Ｘａ）とは反対側に多く浮遊する。
【００２２】
更に図４（ｃ）では記録ヘッド１００が記録シート１０１より離れて位置しており、既に記録は終了しているが、キャリッジの動きによって飛散していたミストがプラテンリブ１１０上にまで到達している。
【００２３】
このようにプラテンリブ１１０上にミストが付着すると、次に記録シートサイズの大きいものに記録しようとすると、記録シートの裏面にプラテンリブのミストが付着して汚してしまうという問題があった。
【特許文献１】特許第２８６２５２９号公報
【特許文献２】特開２０００−１２７３５５号公報
【発明の開示】
【発明が解決しようとする課題】
【００２４】
前述の通り、近年写真画像等の記録が増えており、これまでの文字主体の画像に比べて記録するドットのデューティが高くなっている。記録デューティが高いと、前述のミスト量も増加する。
【００２５】
また写真画像の記録を行う場合、これまでのような記録シートの端部近傍に未記録領域（いわゆる余白）がないように制御することもある。
【００２６】
余白なしの記録を行う場合、記録シートのサイズ誤差や記録シート搬送誤差等を考慮して記録シートよりも若干大きめの画像を記録する。したがって、記録シートのない所へも記録を行うため、前記プラテンにはみ出したインク滴を吸収する吸収体を配置するように構成するのが一般的である。
【００２７】
このように記録シートに対して記録しない余白が小さいまたはなしにするような場合、前述のプラテンリブへのミストの付着が増え、次の記録シートを汚してしまうという課題がある。
【課題を解決するための手段】
【００２８】
本発明は上記課題を解決するために、インクを吐出して記録を行う記録ヘッドと、該記録ヘッドを被記録媒体の記録シートに対して相対的に移動させる移動手段とを有し、該記録ヘッドを該記録シートに対して相対的に移動させると共に、該記録ヘッドよりインクを吐出して記録を行うインクジェット記録装置において、前記移動手段による相対移動に同期させ、記録データに基づいて前記記録ヘッドを駆動して記録を行う記録手段と、前記記録手段へ送信する記録データを制御する制御手段とを有し、前記記録ヘッドの記録する際の移動方向に応じて前記制御手段を制御する。
【００２９】
また前記制御手段は、前記記録ヘッドが前記記録シートの中心部から端部方向へ移動する際に記録を行うよう記録データを制御する。
【００３０】
更に前記制御手段は、前記記録ヘッドが前記記録シートの中心部から端部方向へ移動する際に記録を行う記録データを制御すると共に、前記記録ヘッドが前記記録シートの端部から中心部方向へ移動する際に記録を行うよう記録データを制御する。
【００３１】
また前記制御手段は、前記記録ヘッドが前記記録シートの一端部から中心部へ、中心部からもう一方の端部へ移動する際に、前記記録ヘッドが記録を行う記録データを徐々に減少させるように制御する。
【００３２】
また前記制御手段は、前記記録ヘッドが前記記録シートの一端部から中心部へ、中心部からもう一方の端部へ移動する際に、前記記録ヘッドが記録を行う記録データを徐々に減少させ、次に前記記録ヘッドが前記移動方向と反対の方向へ移動して記録する際に、前記減らした記録データを補完するように制御する。
【００３３】
更に前記制御手段は、前記記録ヘッドが前記記録シートの端部から中心部へ移動する際には記録を行うように制御し、中心部から端部へ移動する際には記録を行わないように制御し、また前記制御手段は、記録する際の記録ヘッドの移動方向が異なる記録データの境界部近傍は一度に記録するデータ量を減らし、次に記録するデータで補完するように制御することを特徴とする。
【００３４】
本発明によれば、記録ヘッドが記録シートの中心部から端部方向へ移動しながら記録を行う際に発生するミストが記録シート周辺に浮遊し、その浮遊したミストがプラテン等に付着し次の記録シートを汚すという問題を解決することができる。
【発明の効果】
【００３５】
以上説明したように本発明によれば、簡単な構成でどのような記録データの記録を行っても、記録シート周辺を汚すことなく、常に良好な画像の得られることが可能な記録装置を提供することができる。
【発明を実施するための最良の形態】
【００３６】
次に、本発明の詳細を実施例の記述に従って説明する。
【００３７】
（実施形態１）
以下、図面を参照して本発明の実施例を詳細に説明する。
【００３８】
図１は本発明を適用した記録装置の構成を示す斜視図、図５は本発明を適用した記録装置によって記録された画像を示す説明図、図６は本発明を適用した記録装置によって画像を記録するときの記録順を示す説明図、図７は本発明を適用した記録装置によって記録する記録データの処理方法を示す説明図、図８は本発明を適用した記録措置の制御系の状態を示すブロック図、図９は本発明を適用した記録装置の動作を説明するフローチャート、図１０は本発明を適用した記録装置によって記録する記録データの他の処理方法を示す説明図である。
【００３９】
図１において、１は記録手段である記録ヘッドであり、本発明においてはインクジェット方式の記録ヘッドが採用されている。
【００４０】
２は前記記録ヘッドを支持するキャリッジ、３は前記記録ヘッドをキャリッジ２に着脱可能に支持するためのヘッドレバーであり、４は該キャリッジをシート搬送方向と直交する方向（図中Ａ方向）に案内するガイド軸である。
【００４１】
また５は前記キャリッジの一部を前記Ａ方向に案内するもう一つの案内部材であるガイドレール、６は不図示のプーリ及びプーリ７間に張架されたタイミングベルトであり、一部がキャリッジ２に固着されている。
【００４２】
前記プーリ７はキャリッジモータＭ１に直結されており、該キャリッジモータＭ１を駆動することにより、記録ヘッドを搭載したキャリッジ２を図中Ａ方向に走査させることが可能となる。
【００４３】
また８は前記キャリッジ２の走査方向における絶対位置を示すスケールであり、本実施例では透明なＰＥＴフィルムに必要なピッチで黒色のバーを印刷したものを用いており、その一方をシャーシ９に固着させ、他方を不図示の板バネで支持している。
【００４４】
１０は前記記録ヘッドの吐出回復処理を行う回復ユニットであり、ゴム等の弾性部材にて形成されたキャップ１１が配置されており、前記記録ヘッド１とキャップ１１が対向したときに該キャップが該記録ヘッド内のインク吐出ノズルを覆うような形状になっている。
【００４５】
さらに前記キャップ１１の近傍には前記記録ヘッドの吐出ノズル面に付着したインク滴を拭き取るためのワイパー１２が配置されている。
【００４６】
また前記キャップ１１はポンプ１３と連結されており、前記記録ヘッドの吐出ノズルに吸引力を作用させて、気泡や、塵埃や、増粘して記録に適さなくなったインク等を除去することにより、前記記録ヘッドを正常な状態に保つことが可能となっている。
【００４７】
１４は複数枚の記録シートを積載し、一枚づつ分離・給送する自動給送装置であり、１５は積載された複数枚の記録シートを支持する積載板、１６は記録シートの幅方向の位置を規制するサイドガイドである。
【００４８】
１７は記録シートを搬送するために搬送モータＭ２によって駆動される搬送ローラであり、１８は不図示のバネにより前記記録シートを搬送ローラに当接するピンチローラ、１９は該ピンチローラを回転自在に支持するピンチローラホルダである。
【００４９】
２０は前記搬送ローラ１４の一端に固着された搬送ローラギアであり、前記搬送モータＭ２のモータギア２２の回転が中間ギア２１を介して伝達され、前記搬送ローラ１７を回転駆動することができるようになっている。またこの中間ギア２１には不図示の搬出ローラの一端部に固定された排出ギア２３も噛み合わされており、前記搬送モータＭ２の駆動は該排出ローラにも伝達されて回転駆動される。
【００５０】
前記排出ローラの直上には、該排出ローラと対向方向に変位可能な拍車２４が、拍車ホルダ２５に回転自在に取り付けられており、該拍車ホルダ２５には、拍車２４を前記排出ローラに押圧するための不図示の付勢手段が連結されている。
【００５１】
次に図５及び図６を用いて実際に記録する方法について説明する。
【００５２】
図５は記録シートに記録された画像を示しており、ここでは前記記録ヘッドを記録シートに対して相対的に移動させながら、記録データが１００％デューティのＴ１というパターンを記録し、その後前記搬送モータＭ２を駆動して搬送ローラ１７を回転させ、該記録シートをＹＡの量だけ搬送する。そして再び前記記録ヘッドを記録シートに対して相対的に移動させながら、記録データが１００％のデューティのＴ２というパターンを記録している。
【００５３】
図６は、図５で述べた記録画像を記録する場合の記録方法についての説明図である。
【００５４】
図６において、前記記録ヘッドを記録シートに対してＸａ方向へ移動させながら、データ量が１００％から０％へ徐々に減少している記録データＴ１ａを記録する。
【００５５】
次に記録シートのＹａ方向への搬送は行わず、そのまま前記記録ヘッドをＹｂ方向へ移動させながら、再びデータ量が１００％から０％へ徐々に減少している記録データＴ１ｂを記録する。
【００５６】
ここで、前記記録データＴ１ｂは前記記録データＴ１ａのデータ量を補完するようになっていおり、本実施例では該記録データＴ１ａとＴ１ｂが重なると全てが１００％の記録データになるため、例えばある位置での前記記録データＴ１ａが５５％のデータ量であった場合、次に記録する記録データＴ１ｂは１００−５５＝４５％のデータ量を記録することになる。
【００５７】
続いて前記搬送モータＭ２を駆動して搬送ローラ１７を回転させ、該記録シートをＹＡの量だけ搬送する。その後は再び前述と同じ手順で記録データＴ２ａ及び記録データＴ２ｂの記録を行う。
【００５８】
このような記録を行うことにより、記録ヘッドが図中Ｘａ方向へ移動して記録するデータはＴ１ａ、Ｔ２ａであるから、この場合記録ヘッドが記録シートの図中右端部を通過する前から記録データがほとんどないため、ミストの発生が防ぐことができ、記録シートの周囲をミストで汚すことがない。
【００５９】
次に図７は前述と異なるデータを記録する場合の説明図であり、図７において記録するデータはＥ１、Ｅ２の２つの楕円形であり、その楕円形は内側が７０％のデータ量で埋められている。
【００６０】
このように前述の１００％のデータ量ではない場合の制御方法として、記録データにマスクと呼ばれる所定のパターンを重ね合わせ、記録データとマスクデータの両方が存在する場合のみそのデータを記録する方法がある。
【００６１】
図７においてＫ１がマスクパターンであり、図６で示した記録ヘッドがＸａ方向へ移動する際に記録を行う場合のパターンである。
【００６２】
このマスクパターンＫ１と記録データＥ１、Ｅ２を重ね合わせ、両方のデータが存在するもののみ抽出したデータがＥ１Ｋ１、Ｅ２Ｋ１である。
【００６３】
次に記録ヘッドがＸｂ方向へ移動する際に記録を行う場合のマスクパターンＫ２と前記記録データＥ１、Ｅ２を重ね合わせ、同様に両方のデータが存在するもののみ抽出したデータがＥ１Ｋ２、Ｅ２Ｋ２である。
【００６４】
このように記録データとマスクパターンを重ね合わせ、両方のデータが存在するもののみ抽出したデータを前述の通り記録ヘッドがＸａ方向へ移動した場合と、Ｘｂ方向へ移動した場合に記録を行うと、Ｅ１Ｋ１とＥ１Ｋ２が重なり、Ｅ２Ｋ１とＥ２Ｋ２が重なることにより、本来記録するデータＥ１とＥ２が形成される。
【００６５】
次に図８はこれまで説明してきた構成による記録装置の制御系の構成例を示すブロック図である。
【００６６】
５４は記録装置全体の制御を行うＭＰＵであり、制御上の時間管理を行うタイマ５５を備えている。５６はＭＰＵ５４の制御プログラム等を納めたＲＯＭであり、５７はＭＰＵ５４の制御実行時ワークエリアや、キャリッジ２の速度等の情報を蓄えるＲＡＭである。５８は記録装置の電源がＯＦＦされても情報の保持が可能なＥＥＰＲＯＭである。
【００６７】
５９は記録ヘッド１を所望される記録情報等に応じて駆動するための記録ヘッドドライバである。
【００６８】
６０はキャリッジモータドライバであり、キャリッジ２を走査させるためのキャリッジモータＭ１を駆動するものである。また、キャリッジの位置はＨＰセンサＳ２で検出する。
【００６９】
６１は搬送モータドライバであり、搬送ローラ１７を駆動する搬送モータＭ２を駆動制御するものである。また、記録シートの位置を検出する前述のシートセンサＳ１が設けられている。
【００７０】
６２は給送モータドライバであり、給送ローラ６を駆動する給送モータＭ３を駆動制御するものである。また給送ローラの回転を検出するＡＳＦセンサＳ３を設ける場合もある。
【００７１】
５３は記録装置とホストコンピュータ等とを接続するＩ／Ｆ部（インターフェイス部）であり、該Ｉ／Ｆ部５３を介して記録装置はホストコンピュータ等と情報交換が可能に構成されている。５１は記録装置とＩ／Ｆ部５３を介して接続されるコンピュータ等の電子機器であり、５２は記録装置に関する様々な設定を行い、該設定に応じて記録装置に指示を行うプリンタドライバである。
【００７２】
次に図９のフローチャートを用いて、前記記録装置で画像を記録する場合の処理動作について説明する。
【００７３】
記録命令を受けて記録が開始され（ステップＳ０１）、ホストコンピュータ等から記録データが記録装置へ転送される（ステップＳ０２）。
【００７４】
次に記録を行う際の記録ヘッドの移動方向によって用いるマスクパターンが異なるため、記録ヘッドの記録方向に応じて適切なマスクパターンを選択する（ステップＳ０３）。
【００７５】
そして転送された前記記録データと、選択されたマスクパターンの重ね合わせを行い（ステップＳ０４）、該記録データと該マスクパターンの比較を行い、該記録データと該マスクパターンの両方が存在するデータのみを抽出し（ステップＳ０５）、実際に記録を行うデータを作成する（ステップＳ０６）。
【００７６】
次に前記記録ヘッドを記録方向へ移動させ（ステップＳ０７）、作成された前記実記録データを記録ヘッドへ転送し（ステップＳ０８）、前記記録ヘッドを転送された実記録データに基づいて駆動し記録を実行する（ステップＳ０９）。
【００７７】
そして記録が終了かどうかを判断し（ステップＳ１０）、終了していない場合はステップＳ０２に戻り、引き続きデータ処理及び記録を実行する。ステップＳ１０で記録が終了の場合は全ての処理が終了となる（ステップＳ１１）。
【００７８】
ここで本実施例では図６に示すように、前記記録ヘッドを記録シートに対して相対的に移動させながら、データ量が１００％から０％に減少している記録データを記録しているが、本発明は例えば図１０に示すようなデータ量で記録してもよい。
【００７９】
図１０において記録ヘッドがＸａ方向へ移動しながら記録する場合はＰ１Ｌ、Ｐ１Ｒの順番に記録するが、パターンＰ１Ｒは全て１００％のデータ量で、Ｐ１Ｍを境界としてその後はＰ１Ｒという１００％から０％へ徐々にデータ量が減少しているパターンを記録する。
【００８０】
そして記録ヘッドがＸｂ方向へ移動して記録する場合、Ｐ２Ｒ、Ｐ２Ｌの順番に記録する。ここでパターンＰ２Ｒは前記パターンＰ１Ｒで記録しなかったデータを補完するように補正されたデータを記録している。そしてＰ２Ｍを境界としてＰ２Ｌは０％のデータ量つまりデータなしの状態となる。これは前記Ｐ１Ｌで１００％のデータ量を記録していため、Ｐ２Ｌは０％のデータ量でよいことになる。
【００８１】
（実施形態２）
次に、本発明に係わる記録装置の他の実施形態について説明する。
【００８２】
図１１において、記録ヘッドがＸａ方向へ移動して記録を行う場合、記録シートの中央部までパターンＲ１Ｌを記録し、その後は記録しない。次に記録ヘッドがＸｂ方向へ移動しながらパターンＲ１Ｒを中央部まで記録し、その後は記録しない。
【００８３】
次に記録シートをＹａ方向へ搬送した後に同様にしてパターンＲ２Ｌ及びパターンＲ２Ｒを記録する。
【００８４】
ここで通常、記録データがない場合は記録ヘッドの移動を止めてしまう場合が多いが、本実施例ではパターンＲ１Ｌ記録後に記録データがなくなって、記録動作をしなくても記録ヘッドの移動は行われている。
【００８５】
このような記録を行うことにより、記録ヘッドが図中Ｘａ方向へ移動して記録するデータはＲ１Ｌ、Ｒ２Ｌであるから、この場合記録ヘッドが記録シートの図中右端部を通過する前から記録データがないため、ミストの発生が防ぐことができ、記録シートの周囲をミストで汚すことがない。
【００８６】
また図１１で示すように例えば記録ヘッドがＸａ方向へ移動する際に、記録シートの図中左端部から中央部付近までパターンＲ１Ｌを記録し、次に記録ヘッドがＸｂ方向へ移動する際に記録シートの図中右端部から中央部までパターンＲ１Ｒを記録している。
【００８７】
このような記録方法では前記パターンＲ１ＬとパターンＲ１Ｒのつなぎ部の画像が乱れる可能性がある。
【００８８】
そこで図１２に示すように、記録ヘッドがＸａ方向へ移動する際にはパターンＲ１Ｌ、Ｒ１Ｍの順に記録を行い、次に記録ヘッドがＸｂ方向へ移動する際にはパターンＲ１Ｒ、Ｒ１Ｍの順に記録する。ここでパターンＲ１Ｌ及びＲ１Ｒは１００％のデータ量でＲ１Ｍは５０％のデータ量となっているため、パターンＲ１Ｍを記録ヘッドがＸａ方向とＸｂ方向へ移動する際に重ねて記録することにより１００％のデータ量で記録される。
【００８９】
このように１００％のデータ量を５０％のデータ量を２回重ねて記録するため、記録ヘッドの記録方向の異なる記録を行ってもつなぎ部の画像乱れが少ない。
【００９０】
ここでパターンＲ１Ｍのデータ量は５０％に限る必要はなく、重ねて記録した結果１００％のデータ量になればいくつでもよい。
【図面の簡単な説明】
【００９１】
【図１】本発明を適用した記録装置の構成を示す斜視図である。
【図２】吐出したインクの状態を示す説明図である。
【図３】従来の記録装置による記録シートへの記録順を示した説明図である。
【図４】従来の記録装置により記録シートへ記録を行っているときのインクミストの浮遊状態を示す説明図である。
【図５】本発明を適用した記録装置で記録を行う記録画像を示す説明図である。
【図６】本発明を適用した記録装置で記録を行う際の記録データの制御を示した説明図である。
【図７】本発明を適用した記録装置で記録を行う際の、他の記録データでの制御を示した説明図である。
【図８】本発明を適用した記録装置の制御系の状態を示すブロック図である。
【図９】本発明を適用した記録装置の動作を説明するフローチャートである。
【図１０】本発明における第１実施形態の他の記録データ制御方法を示した説明図である。
【図１１】本発明を適用した第２実施形態の記録データ制御方法を示した説明図である。
【図１２】本発明を適用した第２実施形態の他の記録データ制御方法を示した説明図である。
【符号の説明】
【００９２】
１  記録ヘッド
２  キャリッジ
３  ヘッドレバー
４  ガイド軸
５  ガイドレール
６  タイミングベルト
７  プーリ
８  スケール
９  シャーシ
１０  回復ユニット
１１  キャップ
１２  ワイパー
１３  ポンプ
１４  自動給送装置
１５  積載板
１６  サイドガイド
１７  搬送ローラ
１８  ピンチローラ
１９  ピンチローラホルダ
２０  搬送ローラギア
２１  中間ギア
２２  搬送モータギア
２３  排出ローラギア
２４  拍車
２５  拍車ホルダ
Ｍ１  キャリアモータ
Ｍ２  搬送モータ
【図１】
2006334810.tif 000003
【図２】
2006334810.tif 000004
【図３】
2006334810.tif 000005
【図４】
2006334810.tif 000006
【図５】
2006334810.tif 000007
【図６】
2006334810.tif 000008
【図７】
2006334810.tif 000009
【図８】
2006334810.tif 000010
【図９】
2006334810.tif 000011
【図１０】
2006334810.tif 000012
【図１１】
2006334810.tif 000013
【図１２】
2006334810.tif 000014